(57)【要約】      （修正有）【課題】自動車の運転席、助手席などの前席においてノートパソコンの使用、また食事の場合などに便利なテーブルを提供する。【解決手段】テーブル不使用時に前席の前方のパネルやダッシュボード内に収納される形態のテーブル、ダッシュボードのフタをテーブルとして使用可能な構造のもの、テーブルを支えるアームレストもしくはアームレスト様支持具などを自動車に取り付ける。【選択図】図２２
0003154042.tif 000002
【実用新案登録請求の範囲】
【請求項１】
助手席の前方にあるパネルもしくはダッシュボード内に収納された前席用テーブルを有する自動車。
【請求項２】
助手席の前方にあるダッシュボードの内側上部もしくはその周辺に収納され引き出して使用する時にはダッシュボードのフタが下面から支える前席用テーブルを有する自動車。
【請求項３】
助手席の前方にあるダッシュボードに上方から下方に開くダッシュボードのフタを兼ね折り畳まれ、使用時においては１枚のテーブルとなる前席用テーブルを有する自動車。
【請求項４】
助手席の前方にあるダッシュボードに下方から上方に開き使用時に下面から支柱で支えられるダッシュボードのフタを兼ねた前席用テーブルを有する自動車。
【請求項５】
助手席の前方にあるダッシュボードに前後に可動な支柱に取り付けられ使用時に手前に引き水平にすることが可能なダッシュボードのフタを兼ねた前席用テーブルを有する自動車。
【請求項６】
助手席の前方にあるダッシュボードに下方から上方に開きダッシュボードのフタを兼ね折り畳まれ、使用時においては下方から支えられ１枚のテーブルとなる前席用テーブルを有する自動車。
【請求項７】
前席シートの両側付近もしくは前席シートの横側付近と端付近に埋め込まれた状態で収納されているテーブルを装置することが可能な構造のアームレストもしくはアームレスト様の支持具を取り付けた自動車。
【請求項８】
中央付近で折り畳むことが可能な構造を有する請求項７記載のアームレストもしくはアームレスト様の支持具を取り付けた自動車。
【請求項９】
テーブルを装置する棒状の支持具が筒状の穴の中に収納される構造を有する請求項７記載のアームレストもしくはアームレスト様の支持具を取り付けた自動車。
【請求項１０】
請求項８、請求項９記載のアームレストもしくはアームレスト様支持具が前席シートの両側付近もしくは前席シート横側付近と端付近に埋め込まれた状態で収納されている自動車。
【請求項１１】
右ハンドル車においては助手席の右側付近もしくは運転席の左側付近または助手席と運転席の間付近に設置されたテーブルを装置することが可能でかつテーブル不使用時にはシートの横側付近に固定することができるアームレストもしくはアームレスト様支持具と、テーブルを使用しない時には助手席側のドアまたは運転席側のドアに収納することができるテーブルを装置可能な支持具もしくはテーブルを設置することができるドアーアームレストを有する自動車。
【請求項１２】
テーブルを装置するアームレストもしくはアームレスト様支持具が請求項８、請求項９記載の構造を有する請求項１１記載の自動車。
【請求項１３】
助手席、運転席など前席の前方にあるパネルもしくはその周辺部にテーブル不使用時には収納され、テーブル使用時には引き出してテーブルを装着可能な支持具を取り付けた自動車。
【請求項１４】
前席で使用するテーブルが引き出して使用可能な内臓されたテーブルを有することを主な特徴とする請求項１、請求項２、請求項３、請求項４、請求項５、請求項６、請求項７、請求項８、請求項９、請求項１０、請求項１１、請求項１２、請求項１３記載の自動車。
【考案の詳細な説明】
【考案の詳細な説明】
【技術分野】
【０００１】  本考案は主として前席でテーブルを使用可能な装置を取り付けた自動車に関する。
【背景技術】
【０００２】自動車の前席付近すなわち運転席付近にはハンドル、シフトレバーなど運転に必要な様々な装置が、また運転席や助手席付近にはアームレスト、カップホルダー、コンソールボックス、ダッシュボードなど様々なユーティリティが設置されている。ユーティリティの１つとして前席用テーブルも提案されている。
文献１  特許公開２００２−１９１４６７
文献２  特許公開２００１−２８６３４８
文献３  特許公開２００８−７４３７１
【考案の開示】
【考案が解決しようとする課題】
【０００３】最近はノート型パソコンなどモバイルコンピュータが普及し自動車内で電子メールを開いたり見積書、請求書を作成したりインターネットに接続したりすることが多くなっている。このような場合ノート型パソコンを隣の座席や、センターコンソール、自分の膝の上に置いたりして使用しているのが現状である。このようにして使用することは不自然な姿勢を余儀なくされ誤操作の原因となるばかりか作業の能率も極めて低下する。作業する人間に苦痛を強制することにもなる。このような事情は特に前席である運転席、助手席においてノート型パソコンを使用する場合に顕著である。【０００４】  また前席である運転席、助手席において食事をする場合においても極めて便利が悪い。自動車のユーティリティには様々なものが存在してるが運転席や助手席のような前席で使用できるテーブルは極めて利便性の高いものである。
しかしながら前席で使用可能なテーブルを設けると運転機器の操作の障碍となったり様々なユーティリティが邪魔になったりする場合が多い。
【課題を解決するための手段】
【０００５】上記課題を解決するため本考案における前席でテーブルを使用可能な装置を取り付けた自動車はテーブルを使用しない時においては前席の前方のパネル又はダッシュボード内に収納される形態のもの、ダッシュボードのフタをテーブルとして使用可能な構造のもの、もしくはアームレスト様支持具またはアームレスト様支持具とドアに装置された支持具にテーブルが支えられる形態であることを特徴とする。
【考案の効果】
【０００６】本考案の自動車においては無理な姿勢をすることなく運転席や助手席に座ったままノート型パソコンを操作することができ、また食事も自然な楽な姿勢で摂ることができる。また本考案による自動車は前席でテーブルを使用しない時にはテーブルを簡単に収納、もしくは極めて簡単に取り外すことができるため運転機器の操作や助手席の搭乗者の邪魔にならない。
構造的に簡単でありまた丈夫である。取り扱いやすく故障の発生も少ない。
【考案を実施するための最良の形態】
【０００７】  以下本考案の実施の形態を図面に基づき説明する。
図１は請求項１に関する見取り図である。図１は運転席、助手席の前方にあるパネル部分に前席用テーブルが収納されていること表している。このテーブルは図１に限定されるのではなく例えばダッシュボード内に設置されていてもよいのである。１はテーブルであり３はテーブル不使用時にテーブルが飛び出してくることを防止するための止め具である。前席でテーブルを使用する場合には３の止め具を回して１のテーブルを手前に引き出す。止め具は３の形態に限定されるものではなくテーブル不使用時にテーブルの飛び出しを防止できるものであればよいのである。【０００８】図２、図３、図４、図５、図６は請求項２に関する見取り図である。図２は収納されていた前席用テーブルが引き出され他状態を表している。図３は前席用テーブルがダッシュボードの内部に収納されていることを表している。不使用時にテーブルが収納されるのはダッシュボードの内部に限定されるものではなくダッシュボードの上部付近でもよいのである。
図４は実際にテーブルを使用する場合を表している見取り図である。１のテーブルを２のダッシュボードのフタが支えている状態を表している。この場合のテーブルの裏面には溝４がありこの溝４にダッシュボードのフタが嵌まり込むことにより使用時にテーブルが安定する。図５は図４における１の裏側の見取り図である。図６における５はテーブルの表側、６は裏側を表している。【０００９】図７は請求項３の前席用テーブルに関する見取り図である。７はテーブルを示している。８で折り畳みテーブル不使用時にはダッシュボードのフタとなるものである。９は蝶番である。【００１０】図８、図９、図１０、図１１は請求項４の前席用テーブルに関する見取り図である。
図８は使用状態における請求項４記載の前席用テーブルを表している。テーブル１は使用状態においては１０の支持具で裏面から支えられ安定している。テーブル不使用時にはテーブルが図９のようにダッシュボードのフタ１１となる。図１０はこの前席用テーブルの裏面を表している。このテーブルは使用時においては裏面にある穴１３に図１１に示すようなダッシュボードの両側付近に埋め込まれた状態で取り付けられた支持具１０が嵌め込まれ安定する。【００１１】図１２、図１３、図１４は請求項５に関する見取り図である。図１２の１４はダッシュボードのフタを兼ねた前席用テーブルであり使用時には１５の止め具を回し１４を手前に引き図１３の状態にする。１６はテーブルの支持具である。１７の部品によりテーブルは使用時に安定する。このようなテーブルは新幹線などに利用されているが自動車と組み合わせ特に自動車のダッシュボード付近に取り付け前席用テーブルとしたものである。テーブル不使用時においてはダッシュボードのフタにもなり得るものである。【００１２】図１５、図１６、図１７は請求項６に関する見取り図である。折り畳み式になっているため使用時においてテーブル面積が広くなる。図１５の１８において表側は曲面であってもよいのであり、折り畳まれた内側は図１６に示すようにテーブルとして使用されるため平らであることが望ましい。このテーブルは図１６に示すように下面から支えられていてもよいのである。このテーブルは不使用時においては折り畳みダッシュボードのフタとして利用してもよいのである。【００１３】図１８、図１９は請求項７に関する見取り図である。図１８の１９は前席シートの端付近に埋め込まれた状態で収納されているアームレスト様のテーブル支持具、２０は前席の横側付近に取り付けられたアームレスト様テーブル支持具を示している。前席でテーブルを使用する場合には１９、２０を倒し水平としその上にテーブルを設置すればよいのである。アームレスト様支持具は水平にした場合その上面は平らであることが望ましい。
図１９は前席シートの両側付近にアームレスト様テーブル支持具が取り付けられている場合の見取り図である。【００１４】図２０は請求項８に、図２１は請求項９に関する見取り図である。請求項７の場合車種によってはアームレスト様テーブル支持具を長くするとテーブル不使用時における収納が難しくなる事がある。そのよう場合に対応することができるように工夫したのが請求項８と図２０及び請求項９と図２１である。図２０においては１０の蝶番によりアームレスト様テーブル支持具が折り畳むことができるのである。テーブルを設置する部分は平らでも、またテーブルを嵌め込むような構造でもよいのである。図２１はテーブル不使用時にはアームレスト様支持具の２１の部分が筒状になっている１９の中に収納できるのである。【００１５】図２２は請求項１１に関する見取り図である。図２２において２３はドアに取り付けられたテーブル支持具である。２３はドアに設置されているアームレストの上面をテーブルが設置できるように平らにしたものでも、テーブルの端を差し込むことができるように横長のくぼみをつけたものでも、または不使用時には折り畳んでドアにつけてあるくぼみに収納できるようなものでよいのである。図２２における２４は図１８の２０、図２０の１９、図２１の２１のようなものでよいのである。
図２３は請求項１３に関する見取り図である。２０はテーブル不使用時には前席のパネル内に収納されており、テーブル使用時には図２３に示してあるように引き出して使用するのである。【００１６】図２４、図２５、図２６は請求項１４に関する見取り図である。図２４は子テーブル２６がテーブル２７に内蔵されていることを表している見取り図である。使用時において子テーブル２６を手前又は反対方向に引き出して使用することによりテーブルの面積が広くなる利点がある。図２５は図２４と大体同じであるが子テーブル２６が助手席の場合においては右側に、運転席の場合には左側に引き出せるようになっていることを表している。
図２６は内臓されている子テーブル２６が前後、または左右に引き出せる構造になっていることを表す見取り図である。
【産業上の利用可能性】
【００１７】本考案によると自動車の前席でテーブルが使用できるようになることから前席すなわち運転席、助手席においてパソコンを使用したり食事をしたりする場合極めて便利である。自動車のユーティリテーとし極めて利用性の高いものである。また自動車として乗用車はもちろん商用車、軽自動車、トラックなどの貨物車自動車にも取り付け可能である。
したがって本考案は自動車関係の産業上きはめて利用可能性が高いものと考えられる。
【図面の簡単な説明】
【００１８】
【図１】    請求項１に関する見取り図
【図２】    請求項２におけるテーブルを引き出した状態を示す見取り図
【図３】    請求項２におけるーブルが収納された状態を示す見取り図。
【図４】    請求項２についてテーブル使用時の状態を示す見取り図
【図５】    請求項２におけるテーブルの裏面を示す見取り図
【図６】    請求項２におけるテーブルの断面図
【００１９】
【図７】    請求項３に関する見取り図
【図８】    請求項４におけるテーブル使用時の状態を示す見取り図
【図９】    請求項４についてテーブル不使用時の状態を示す見取り図
【図１０】    請求項４におけるテーブルの裏面を示す見取り図
【図１１】    請求項４におけるテーブルを裏面から支える支持具を示す見取り図
【００２０】
【図１２】    請求項５におけるテーブルの不使用時の状態を示す見取り図
【図１３】    請求項５におけるテーブルの使用時の状態を示す見取り図
【図１４】    請求項５に関するテーブル及びテーブル支持具の不使用時における断面図
【図１５】    請求項６におけるテーブルが折り畳まれた状態で下方から上方へ開かれる途中の状態を示す見取り図。
【図１６】    請求項６に関するテーブルの使用時における状態を示す見取り図
【００２１】
【図１７】    請求項６におけるテーブル支持具を示す見取り図
【図１８】    請求項７に関する見取り図
【図１９】    請求項７に関する見取り図
【図２０】    請求項８に関する見取り図
【図２１】    請求項９に関する見取り図
【図２２】    請求項１１に関する見取り図
【図２３】    請求項１３に関する見取り図
【図２４】    請求項１４に関する見取り図
【符号の説明】
【００２２】１・・図１、図２、図３、図４、図５、図６、図８のおける前席用テーブル        ２・・ダッシュボードのフタ        ３・・前席用テーブル不使用時における飛び出し防止具        ４・・図４のテーブルの裏側に２が嵌め込まれる溝        ５・・図４のテーブルの表側        ６・・図４のテーブルの裏側        ７・・請求項３の折り畳み式前席用テーブル        ８・・折り目        ９・・蝶番        １０・・図８におけるテーブル支持具        １１・・図８の前席用テーブルが不使用時にダッシュボードのフタになった状態        １２・・図８のテーブルの表側【００２３】１３・・図８で１０が入る穴        １４・・請求項５の前席用テーブル
１５・・テーブルの裏側        １６・・１４の支持具【００２３】１７・・テーブル１４の角度を変える部品        １８・・請求項６の折り畳み式前席用テーブル
１９・・前席シートの端付近に埋め込まれた状態で収納されているアームレスト様テーブル支持具
２０・・前席の横側付近に取り付けられたアームレスト様テーブル支持具
２１・・不使用時には収納されるテーブル支持具
２２・・アームレストもしくはアームレスト様支持具に設置するテーブル
２３・・上面が平らなドアーアームレストもしくはドアーに収納可能なテーブル支持具
２４・・シートの横付近のアームレスト様支持具
２５・・請求項１３記載の収納可能なテーブル支持具
２６・・請求項１４記載のテーブルに内蔵されたテーブル
２７・・２６のテーブルを内蔵するテーブル
【図１】
0003154042.tif 000003
【図２】
0003154042.tif 000004
【図３】
0003154042.tif 000005
【図４】
0003154042.tif 000006
【図５】
0003154042.tif 000007
【図６】
0003154042.tif 000008
【図７】
0003154042.tif 000009
【図８】
0003154042.tif 000010
【図９】
0003154042.tif 000011
【図１０】
0003154042.tif 000012
【図１１】
0003154042.tif 000013
【図１２】
0003154042.tif 000014
【図１３】
0003154042.tif 000015
【図１４】
0003154042.tif 000016
【図１５】
0003154042.tif 000017
【図１６】
0003154042.tif 000018
【図１７】
0003154042.tif 000019
【図１８】
0003154042.tif 000020
【図１９】
0003154042.tif 000021
【図２０】
0003154042.tif 000022
【図２１】
0003154042.tif 000023
【図２２】
0003154042.tif 000024
【図２３】
0003154042.tif 000025
【図２４】
0003154042.tif 000026
【図２５】
0003154042.tif 000027
【図２６】
0003154042.tif 000028
【手続補正書】
【提出日】平成21年7月4日(2009.7.4)
【手続補正１】
【補正対象書類名】実用新案登録請求の範囲
【補正対象項目名】全文
【補正方法】変更
【補正の内容】
【実用新案登録請求の範囲】
【請求項１】
自動車の助手席の前方にあるパネルもしくはダッシュボード内に収納された助手席用テーブル。
【請求項２】
自動車の助手席の前方にあるダッシュボードの内側上部もしくはその周辺に収納され引き出して使用する時にはダッシュボードのフタが下面から支える助手席用テーブル。
【請求項３】
自動車の助手席の前方にあるダッシュボードに上方から下方に開くダッシュボードのフタを兼ね折り畳まれ、使用時においては１枚のテーブルとなる助手席用テーブル。
【請求項４】
自動車の助手席の前方にあるダッシュボードに下方から上方に開き使用時に下面から支柱で支えられるダッシュボードのフタを兼ねた助手席用テーブル。
【請求項５】
自動車の助手席の前方にあるダッシュボードに前後に可動な支柱に取り付けられ使用時に手前に引き水平にすることが可能なダッシュボードのフタを兼ねた助手席用テーブル。
【請求項６】
自動車の助手席の前方にあるダッシュボードに下方から上方に開きダッシュボードのフタを兼ね折り畳まれ、使用時においては下方から支えられ１枚のテーブルとなる助手席用テーブル。
【請求項７】
請求項１〜６のいずれか一項に記載の助手席用テーブルが引き出して使用可能な内蔵されたテーブル板を有する構造になっていることを特徴とする助手席用テーブル。
【請求項８】
請求項１または請求項２または請求項４または請求項５記載の助手席用テーブルにおいてテーブル部分が使用時において搭乗者の方向に展開することができるように折り畳むことができる構造となっていることを特徴とする助手席用テーブル。
【請求項９】
請求項１〜６のいずれか一項に記載の助手席用テーブルのテーブル部分が使用時において搭乗者側から見て横側に展開することが出来るように折り畳むことができる構造となっていることを特徴とする助手席用テーブル。
【手続補正２】
【補正対象書類名】明細書
【補正対象項目名】全文
【補正方法】変更
【補正の内容】
【考案の詳細な説明】
【考案の詳細な説明】
【技術分野】
【０００１】  本考案は自動車の助手席で使用可能なテーブルに関する。
【背景技術】
【０００２】自動車の助手席付近にはアームレスト、カップホルダー、コンソールボックス、ダッシュボードなど様々なユーティリティが設置されている。ユーティリティの１つとして前席用テーブルも提案されている。
文献１  特許公開２００２−１９１４６７
文献２  特許公開２００１−２８６３４８
文献３  特許公開２００８−７４３７１
【考案の開示】
【考案が解決しようとする課題】
【０００３】最近はノート型パソコンなどモバイルコンピュータが普及し自動車内で電子メールを開いたり見積書、請求書を作成したりインターネットに接続したりすることが多くなっている。このような場合ノート型パソコンを隣の座席や、センターコンソール、自分の膝の上に置いたりして使用しているのが現状である。このようにして使用することは不自然な姿勢を余儀なくされ誤操作の原因となるばかりか作業の能率も極めて低下する。作業する人間に苦痛を強制することにもなる。このような事情は特に助手席においてノート型パソコンを使用する場合に顕著である。【０００４】  また助手席において食事をする場合においても極めて便利が悪い。
自動車のユーティリティには様々なものが存在しているが助手席のような前席で使用できるテーブルは極めて利便性の高いものである。
しかしながら助手席で使用可能なテーブルを設けると様々なユーティリティの邪魔になったり、また乗降の妨げになったりする。
【課題を解決するための手段】
【０００５】上記課題を解決するため本考案における自動車の助手席用テーブルはテーブル不使用時においては助手席の前方のパネル又はダッシュボード内に収納される形態のものもしくはダッシュボードのフタをテーブルとして使用可能な構造にしたものであることを特徴とする。
【考案の効果】
【０００６】本考案のテーブルを使用することにより助手席に座ったままノート型パソコンを操作することができ、また食事も自然な楽な姿勢で摂ることができる。また本考案によるテーブルはテーブルを使用しない時にはテーブルを簡単に収納することができるため助手席の搭乗者の邪魔にならない。また乗降の妨げにならない。
構造的に簡単であるため取り扱いやすく丈夫であり故障の発生も少ない。
【考案を実施するための最良の形態】
【０００７】  以下本考案の実施の形態を図面に基づき説明する。
図１は請求項１に関する見取り図である。図１は助手席の前方にあるパネル部分に助手席用テーブルが収納されていること表している。このテーブルは図１に限定されるのではなく例えばダッシュボード内に設置されていてもよいのである。１はテーブルであり２はダッシュボードのフタである。３はテーブル不使用時にテーブルが飛び出してくることを防止するための止め具である。前席でテーブルを使用する場合には３の止め具を回して１のテーブルを手前に引き出す。止め具は３の形態に限定されるものではなくテーブル不使用時にテーブルの飛び出しを防止できるものであればよいのである。【０００８】図２、図３、図４、図５、図６は請求項２に関する見取り図である。図２は収納されていた助手席用テーブルが引き出された状態を表している。図３は助手席用テーブルがダッシュボードの内部に収納されていることを表している。不使用時にテーブルが収納されるのはダッシュボードの内部に限定されるものではなくダッシュボードの上部付近でもよいのである。
図４は実際にテーブルを使用する場合を表している見取り図である。テーブル１をダッシュボードのフタ２が支えている状態を表している。図５は図４におけるテーブル１の裏側の見取り図である。テーブルの裏面には溝４がありこの溝４にダッシュボードのフタが嵌まり込むことにより使用時にテーブルが安定する。図６は図４のテーブル１の断面図であ５はテーブルの表側、６は裏側、４は溝を表している。【０００９】図７は請求項３の助手席用テーブルに関する見取り図である。７はテーブルを示している。８で折り畳みテーブル不使用時にはダッシュボードのフタとなるものである。９は蝶番である。【００１０】図８、図９、図１０、図１１は請求項４の助手席用テーブルに関する見取り図である。
図８は使用状態における請求項４記載の助手席用テーブルを表している。テーブル１は使用状態においては１０の支持具で裏面から支えられ安定している。テーブル不使用時にはテーブルが図９のようにダッシュボードのフタ１１となる。図１０はこの助手席用テーブルを表している。１２はこのテーブルの表側を示している。このテーブルは使用時においては裏面にある穴１３に図１１に示すようなダッシュボードの両側付近に埋め込まれた状態で取り付けられた支持具１０が嵌め込まれ安定する。【００１１】図１２、図１３、図１４は請求項５に関する見取り図である。図１２の１４はダッシュボードのフタを兼ねた助手席用テーブルであり使用時には１５の止め具を回し１４を手前に引き図１３の状態にする。１６はテーブルの支持具である。１７の部品によりテーブルは使用時に安定する。このようなテーブルは新幹線などに利用されているが自動車と組み合わせ特に自動車のダッシュボード付近に取り付け助手席用テーブルとしたものである。テーブル不使用時においてはダッシュボードのフタにもなり得るものである。
図１４は不使用時におけるテーブルおよび支持具を横から見た見取り図である。【００１２】図１５、図１６、図１７は請求項６に関する見取り図である。折り畳み式になっているため使用時においてテーブル面積が広くなる。図１５の１８において表側は曲面であってもよいのであり、折り畳まれた内側は図１６に示すようにテーブルとして使用されるため平らであることが望ましい。９は蝶番であるが必ずしも蝶番にこだわる必要はないのであり折り畳んだテーブルを開いたとき平面が安定するものであればよいのである。このテーブルは図１６に示すように支持具１０により下面から支えられていてもよいのである。このテーブルは不使用時においては折り畳みダッシュボードのフタとして利用してもよいのである。図１７はテーブル使用時に下から支える支持具がテーブル不使用時に収納された状態を表す見取り図である。【００１３】  図１８、図１９は請求項７に関する見取り図である。すなわち、図１８における１９は請求項１〜６のいずれか一項に記載の助手席用テーブルであり、２０は１９に内蔵の引き出して使用可能なテーブルである。テーブル使用時において２０を手前に引き出すことによりテーブルの面積が広くなりきわめて利便性が向上するのである。図１９の２１は請求項１〜６のいずれか一項に記載の助手席用テーブルであり、２２はテーブル不使用時においては２１に内蔵されている。テーブル使用時において必要があれば図１９のように左右に引き出して使用することができる。勿論片方だけを引き出して使用することも出来るのである。【００１４】テーブルを図１９のような構造にすることによりテーブルの横幅が広がり利便性が更に高まるのである。
図２０は請求項８に関する見取り図である。図２０の２４は助手席の搭乗者側を示している。テーブルを広くして使用したい場合には便利である。テーブル不使用時においては８のところで折り畳み収納することができるのである。図２１は請求項９に関する見取り図である。２６図の２１は助手席の搭乗者側を示している。テーブルを横に広く使用したい場合に便利である。テーブル不使用時においては８のところで折り畳み収納することができるのである。
【産業上の利用可能性】
【００１５】本考案により自動車の助手席でテーブルが使用できるようになることから助手席においてパソコンを使用したり事務作業をしたり、また食事をしたりする場合極めて便利である。自動車のユーティリティとし極めて利用性の高いものである。また自動車として乗用車はもちろん商用車、軽自動車、トラックなどの貨物車自動車にも取り付け可能である。
したがって本考案は自動車関係の産業上非常に利用可能性が高いものと考えられる。
【図面の簡単な説明】
【００１６】
【図１】請求項１におけるテーブルが収納された状態を表す見取り図
【図２】請求項２におけるテーブルを引き出した状態を表す見取り図
【図３】請求項２におけるーブルが収納された状態を表す見取り図。
【図４】請求項２についてテーブル使用時の状態を表す見取り図
【図５】請求項２におけるテーブルの裏面を表す見取り図
【図６】請求項２におけるテーブルの断面図
【００１７】
【図７】請求項３にいけるテーブル使用時の状態を表す見取り図
【図８】請求項４におけるテーブル使用時の状態を表す見取り図
【図９】請求項４についてテーブル不使用時の状態を表す見取り図
【図１０】請求項４におけるテーブルを表す見取り図
【図１１】請求項４におけるテーブルを裏面から支える支持具を表す見取り図
【００１８】
【図１２】請求項５におけるテーブルの不使用時の状態を表す見取り図
【図１３】請求項５におけるテーブルの使用時の状態を表す見取り図
【図１４】請求項５に関するテーブル及びテーブル支持具の不使用時における状態を横から見た見取り図
【図１５】請求項６におけるテーブルが折り畳まれた状態で下方から上方へ開かれる途中の状態を表す見取り図。
【図１６】請求項６に関するテーブルの使用時における状態を示表す見取り図
【００１９】
【図１７】請求項６におけるテーブル支持具がテーブル不使用時に収納された状態を表す見取り図
【図１８】請求項７に関する見取り図
【図１９】請求項７に関する見取り図
【図２０】請求項８に関する見取り図
【図２１】請求項９に関する見取り図
【符号の説明】
【００２０】１・・図１、図２、図３、図４、図５、図６、図８における助手席用テーブル
２・・図１、図２、図３、図４におけるダッシュボードのフタ
３・・図１の助手席用テーブルが不使用時に飛び出すのを防ぐ留め具
４・・図４のテーブルの裏側に２が嵌め込まれる溝
５・・図４のテーブルの表側
６・・図４のテーブルの裏側
７・・請求項３に関する図７における折り畳み式助手席用テーブル
８・・図７、図１６、図２０、図２１における折り畳み式助手席用テーブルの折り目
９・・図７、図１６図２０、図２１における折り畳み式助手席用テーブルの折り目を繋ぐ      蝶番
１０・・図８、図１６、図１７におけるテーブル支持具
１１・・図８の助手席用テーブルが不使用時にダッシュボードのフタになった状態
１２・・図８のテーブルの表側【００２１】１３・・図８においてテーブル支持具１０が入る穴
１４・・請求項５の助手席用テーブル
１５・・テーブル不使用時に１４を留める留め具
１６・・１４を支える支持具
１７・・１４の角度を変える部品【００２２】１８・・請求項６の折り畳み式助手席用テーブル
１９・・請求項７に関する助手席用テーブルにおいて手前に引き出して使用可能なテーブ        ルを内蔵する助手席用テーブル
２０・・１９に内蔵されているテーブル
２１・・請求項７に関する助手席用テーブルにおいて左右もしくは片方に引き出して使用        可能なテーブルを内蔵する助手席用テーブル
２２・・２１に内蔵されているテーブル
２３・・請求項８に関する折り畳むことができる助手席用テーブル
２４・・図２０のテーブル使用時における助手席の搭乗者側を示している
２５・・請求項９に関する折り畳むことができる助手席用テーブル
２６・・図２１のテーブル使用時における搭乗者側を示している
【手続補正３】
【補正対象書類名】図面
【補正対象項目名】全図
【補正方法】変更
【補正の内容】
【図１】
0003154042.tif 000029
【図２】
0003154042.tif 000030
【図３】
0003154042.tif 000031
【図４】
0003154042.tif 000032
【図５】
0003154042.tif 000033
【図６】
0003154042.tif 000034
【図７】
0003154042.tif 000035
【図８】
0003154042.tif 000036
【図９】
0003154042.tif 000037
【図１０】
0003154042.tif 000038
【図１１】
0003154042.tif 000039
【図１２】
0003154042.tif 000040
【図１３】
0003154042.tif 000041
【図１４】
0003154042.tif 000042
【図１５】
0003154042.tif 000043
【図１６】
0003154042.tif 000044
【図１７】
0003154042.tif 000045
【図１８】
0003154042.tif 000046
【図１９】
0003154042.tif 000047
【図２０】
0003154042.tif 000048
【図２１】
0003154042.tif 000049